(57)【要約】【課題】意図せぬ接着が起きにくいうえに、簡単に開封作業を行うことが可能な封筒付き印刷物を提供する。【解決手段】残置領域２１からの取り外しが可能な封筒領域３を有する封筒付きチラシ１である。  そして、封筒領域は、２つ折りにすることによって封筒が形成される領域であるとともに、２つ折りにされる一方の縁部に沿って設けられた再湿糊層３２と、再湿糊層よりも内側において封筒領域の縁部に沿って設けられたミシン目部３３と、残置領域と封筒領域との境界に設けられる切取り線２２とを備えている。【選択図】図１
2017128029.tif 000002
【特許請求の範囲】
【請求項１】
残置領域からの取り外しが可能な封筒領域を有する封筒付き印刷物であって、
前記封筒領域は、２つ折りにすることによって封筒が形成される領域であるとともに、
前記２つ折りにされる一方の縁部に沿って設けられた再湿糊層と、
前記再湿糊層よりも内側において前記封筒領域の縁部に沿って設けられたミシン目部と、
前記残置領域と前記封筒領域との境界に設けられる切り離し部とを備えたことを特徴とする封筒付き印刷物。
【請求項２】
前記封筒領域は略長方形であって、前記再湿糊層は平面視略コ字形に形成されるとともに、前記ミシン目部は前記封筒領域よりも前記再湿糊層の幅分小さい略長方形に形成されることを特徴とする請求項１に記載の封筒付き印刷物。
【請求項３】
前記封筒領域は、前記ミシン目部より内側のみが記入領域となっていることを特徴とする請求項１又は２に記載の封筒付き印刷物。
【発明の詳細な説明】
【技術分野】
【０００１】
本発明は、広告や宣伝のために配布されるチラシ、又は雑誌や本の綴込みなどに使用される封筒付き印刷物に関するものである。
【背景技術】
【０００２】
特許文献１に開示されているように、広告用チラシやアンケート用紙などの印刷用紙の右下欄に、返信用の封書部が設けられた返信用封書付き印刷物が知られている。
【０００３】
この封書部の全周となる縁部には、感圧糊や再湿糊などの接着剤が塗布されており、感圧糊の場合はボールペンなどで圧力をかけたり、再湿糊の場合は水等で濡らしたりすることで、簡単に返信用の封書を作成することができる。
【０００４】
一方、特許文献２には、通常の両面プリンターで印字可能な給与明細書用の封書シートが開示されている。この封書シートの縁部にも、封緘用の感圧性接着剤、感熱性接着剤又は再湿性接着剤が全周に亘って塗布されることが記載されている。
【０００５】
また、特許文献２には、接着剤によって封緘された給与明細書を簡単に開封できるようにするために、接着剤の内側に開封用ミシン目が設けられることが記載されている。
【先行技術文献】
【特許文献】
【０００６】
【特許文献１】特開２００６−７６０７１号公報
【特許文献２】特開平６−２７８３８８号公報
【発明の概要】
【発明が解決しようとする課題】
【０００７】
しかしながら接着剤が封書部の全周に塗布されていると、意図せぬタイミングで接着してしまう可能性が高くなり、うまく剥がせなければ封筒として利用できなくなるおそれがある。特にチラシや綴込みなどの一部に封筒となる領域が設けられている場合は、折り畳まれたり別の紙に押し付けられたりして、意図せぬ接着が起きる可能性が高くなる。
【０００８】
そこで、本発明は、意図せぬ接着が起きにくいうえに、簡単に開封作業を行うことが可能な封筒付き印刷物を提供することを目的としている。
【課題を解決するための手段】
【０００９】
前記目的を達成するために、本発明の封筒付き印刷物は、残置領域からの取り外しが可能な封筒領域を有する封筒付き印刷物であって、前記封筒領域は、２つ折りにすることによって封筒が形成される領域であるとともに、前記２つ折りにされる一方の縁部に沿って設けられた再湿糊層と、前記再湿糊層よりも内側において前記封筒領域の縁部に沿って設けられたミシン目部と、前記残置領域と前記封筒領域との境界に設けられる切り離し部とを備えたことを特徴とする。
【００１０】
ここで、前記封筒領域は略長方形であって、前記再湿糊層は平面視略コ字形に形成されるとともに、前記ミシン目部は前記封筒領域よりも前記再湿糊層の幅分小さい略長方形に形成される構成とすることができる。また、前記封筒領域は、前記ミシン目部より内側のみが記入領域となっている構成とすることができる。
【発明の効果】
【００１１】
このように構成された本発明の封筒付き印刷物は、２つ折りにすることによって封筒が形成される封筒領域には、２つ折りにされる一方の縁部に沿って再湿糊層が設けられる。また、再湿糊層よりも内側には、封筒領域の縁部に沿ってミシン目部が設けられる。
【００１２】
このように本発明の封筒付き印刷物は２つ折りにされる一方の縁部にのみ再湿糊層が設けられるため、配布中などに意図せぬ接着が起きにくい。また、再湿糊層よりも内側にはミシン目部が設けられているので、簡単に開封作業を行うことができる。
【００１３】
さらに、このような封筒付き印刷物は、略長方形の封筒領域に対して平面視略コ字形に再湿糊層を形成し、その内側に再湿糊層の幅分小さい略長方形のミシン目部を形成することによって、簡単に製作することができる。
【００１４】
また、ミシン目部より内側のみが記入領域となっていれば、再湿糊で封緘された封筒をミシン目部から縁部を切り取ることで開封した際に、記入された情報が読み取れなくなる事態の発生を防ぐことができる。
【図面の簡単な説明】
【００１５】
【図１】本発明の実施の形態の封筒付きチラシの構成を説明する展開図である。
【図２】封筒付きチラシの使用方法を説明するための説明図である。
【図３】実施例１の封筒付きチラシの構成を説明する展開図である。
【図４】実施例１の封筒付きチラシの製作方法を示した説明図である。
【図５】実施例２の封筒付きチラシの構成を説明する展開図である。
【図６】実施例２の封筒付きチラシの製作方法を示した説明図である。
【図７】実施例３の封筒付きチラシの構成を説明する展開図である。
【図８】実施例３の封筒付きチラシの製作方法を示した説明図である。
【図９】実施例４の封筒付きチラシの構成を説明する展開図である。
【図１０】実施例４の封筒付きチラシの製作方法を示した説明図である。
【発明を実施するための形態】
【００１６】
以下、本発明の実施の形態について図面を参照して説明する。図１は、本実施の形態の封筒付き印刷物としての封筒付きチラシ１の開いた状態を示した展開図である。また、図２は、封筒付きチラシ１の使用方法を説明するための図である。
【００１７】
この封筒付きチラシ１は、図１に示すように、封筒領域３と、それに連続して設けられる残置領域２１とによって主に構成される。封筒付きチラシ１は、例えば略長方形のシート状の紙本体２に形成される。
【００１８】
すなわち紙本体２には、紙本体２の一つの隅角部に略長方形に形成された封筒領域３と、それ以外の残置領域２１と、残置領域２１と封筒領域３との境界に設けられる切り離し部となる切取り線２２とが設けられる。
【００１９】
封筒領域３は、図２に示すように、略中央の折目３１１で２つ折りにすることによって封筒３０が形成される領域である。この封筒領域３の内面部３１は通信面となり、外面部３４の少なくとも一面は宛名面となる。
【００２０】
封筒領域３には、図１に示すように、２つ折りにされる一方の縁部に沿って設けられる再湿糊層３２と、再湿糊層３２よりも内側において封筒領域３の縁部に沿って設けられたミシン目部３３とが形成される。
【００２１】
再湿糊層３２は、平面視略コ字形（図１では逆コ字形）に形成される。再湿糊層３２は、再湿糊を塗布することによって形成される。再湿糊は、乾燥状態では接着力がなく、表面を水等で濡らすと接着力が発揮される接着剤である。
【００２２】
一方、ミシン目部３３は、略長方形の封筒領域３よりも再湿糊層３２の幅分小さい略長方形に形成される。図２に示すように、再湿糊層３２を水等で濡らして封筒領域３を２つ折りにすると、再湿糊層３２の接着力によって封筒３０が形成される。
【００２３】
この封筒３０の縁部３５に沿ってミシン目部３３が設けられており、ミシン目部３３によって縁部３５を切り取ることで、再湿糊層３２によって接着された層間を剥がさなくとも封筒３０が開封される。
【００２４】
このミシン目部３３や上述した切取り線２２は、ダイカッタなどによって部分的に切り込みを入れることで形成される。すなわちミシン目部３３は、ミシン目状に等間隔で切り込みを入れることによって形成される。また、切取り線２２は、ミシン目にすることもできるが、点状にアンカット部が残されるように切り込み（カット部）を入れることによっても形成することができる。
【００２５】
封筒領域３及び残置領域２１が設けられる紙本体２は、長方形に形成された１枚の紙片であって、両面に図や文字情報などの印刷が施される。例えば残置領域２１には、封筒領域３の利用方法や広告などの情報や図などを印刷しておくことができる。
【００２６】
また、封筒領域３の宛先面（３４）や通信面（３１）にも、封筒３０の返信者の負担を減らすことが可能となる必要事項などを予め印刷しておくことができる。
【００２７】
ここで、通信面となる内面部３１の印刷は、ミシン目部３３よりも内側にのみ施される。また、返信者がミシン目部３３より内側のみが記入領域であると捉えることができるような印刷を施す。
【００２８】
次に、本実施の形態の封筒付きチラシ１の製作方法及び使用方法について説明する。
【００２９】
まず、ロール紙から紙本体２を引き出し、両面印刷機によって紙本体２の両面に印刷を行う。すなわち紙本体２に対して、封筒領域３の宛名面及び通信面、残置領域２１などに必要な印刷のすべてをこの工程で行う。
【００３０】
ここで、通信面となる内面部３１の印刷は、ミシン目部３３の内側にのみ行う。また、内面部３１を見た利用者（返信者）が、ミシン目部３３よりも外側の縁部に記入を行わないように誘導するような印刷内容とする。
【００３１】
印刷後に、紙本体２の隅角部近傍の所定の箇所に再湿糊を塗布し、平面視逆コ字状の再湿糊層３２を設ける。続いて、切取り線２２及びミシン目部３３とする位置に、それぞれダイカッタで設定された箇所に切り込みを入れる。
【００３２】
このようにして製作されたシート状の封筒付きチラシ１は、折目１１で２つ折りにされた状態で新聞の折込み広告となって利用者に配布される。封筒付きチラシ１を開いて、残置領域２１に印刷された文字や図などの情報に関心を持った人は、封筒３０を送ろうと考える。
【００３３】
そして、封筒３０を返信しようとする利用者は、封筒付きチラシ１から図２の最上段に示すように封筒領域３を取り外す。続いて、封筒領域３の内面部３１の通信面に個人情報や連絡事項などを記入し、封筒領域３の折目３１１から一方側の縁部に沿って設けられた再湿糊層３２を水等で濡らす。
【００３４】
そして、折目３１１で封筒領域３を谷折りに折り曲げる。折目３１１で折り曲げられて封筒３０になると、内面部３１に記入された内容は覆い隠されることになり、個人情報などは外部から視認できないように秘匿される。
【００３５】
また、再湿糊による接着は強力なため、一度、接着させると、封筒３０を破損することなく剥がすことができない。このため、通常は、封緘状態のまま受取人に封筒３０が届くことになる。
【００３６】
一方、受取人側では、新聞の折込み広告の効果によって、一時期に大量に封筒３０，・・・が届くことになる。受け取った封筒３０は、図２の最下段に示すように、ミシン目部３３で縁部３５を切り取ることによって簡単に開封することができる。
【００３７】
また、内面部３１では、印刷などによってミシン目部３３よりも内側に記入が行われるように誘導されているため、ミシン目部３３で切り取っても、必要記入事項が読み取れなくなるような事態は避けられる。
【００３８】
次に、本実施の形態の封筒付きチラシ１の作用について説明する。
【００３９】
このように構成された本実施の形態の封筒付きチラシ１は、２つ折りにすることによって封筒３０が形成される封筒領域３には、２つ折りにされる一方の縁部に沿って再湿糊層３２が設けられる。また、再湿糊層３２よりも内側には、封筒領域３の縁部３５に沿ってミシン目部３３が設けられる。
【００４０】
このように本実施の形態の封筒付きチラシ１は２つ折りにされる一方の縁部３５にのみ再湿糊層３２が設けられるため、配布中などに意図せぬ接着が起きにくい。
【００４１】
すなわち封筒領域３の全周に糊が塗布されていると、意図せぬ接着が起きる可能性が２倍になるだけでなく、糊と糊とが重なることによって、より接着が起きやすくなる。
【００４２】
これに対して、２つ折りにされる一方の縁部３５にのみ再湿糊層３２が設けられた場合は、糊が意図せぬタイミングで濡れる確率を１／２にできるうえに、糊の塗布量が減って経済的である。また、折目３１１で折り曲げられても乾燥した再湿糊層３２と糊が塗布されていない紙本体２とが重なるだけなので、意図せぬ接着は起きにくい。
【００４３】
また、利用者は、再湿糊層３２を濡らすだけで簡単に封緘状態にできるので、安心して内面部３１に個人情報などを記入することができ、封筒３０の返信率が向上する要因となる。
【００４４】
さらに、再湿糊層３２による接着は強力であるが、それよりも内側にミシン目部３３が設けられているので、受取人は封筒３０を簡単に開封することができ、効率的に開封作業を進めていくことができる。
【００４５】
また、ミシン目部３３より内側のみが記入領域となっていれば、再湿糊で封緘された封筒３０をミシン目部３３から縁部３５を切り取ることで開封した際に、記入された情報が読み取れなくなる事態の発生を防ぐことができる。
【実施例１】
【００４６】
以下、前記した実施の形態とは別の形態の実施例１について、図３，４を参照しながら説明する。なお、前記実施の形態で説明した内容と同一乃至均等な部分の説明については、同一符号又は同一用語を使って説明する。
【００４７】
本実施例１で説明する封筒付き印刷物としての封筒付きチラシ１Ａは、展開された紙本体２Ａの形態や製作方法などが、前記実施の形態で説明した封筒付きチラシ１とは異なっている。
【００４８】
実施例１の紙本体２Ａは、図３に示すように帯状の長方形に形成される。また、複数の折目１２１，１２２，１２３が設けられる。そして紙本体２Ａには、紙本体２Ａの一つの隅角部に略長方形に形成された封筒領域３Ａと、それ以外の残置領域２１Ａと、残置領域２１Ａと封筒領域３Ａとの境界に設けられる切り離し部となる切取り線２２Ａとが設けられる。
【００４９】
残置領域２１Ａでは、折目１２１よりも左側の領域の縁部に沿って剥離糊部４１が形成される。剥離糊部４１は、一度剥がすと再び接着されることがない剥離糊を塗布することによって形成される。
【００５０】
この残置領域２１Ａの左端を折目１２１で谷折りにすると、図４の上段に示した状態になる。さらにこの状態で、折目１２２よりも左側の領域の縁部に沿って剥離糊部４２が形成される。
【００５１】
一方、折目１２３より右側の領域の縁部に沿っても、剥離糊部４３が形成される。そして、折目１２２，１２３でそれぞれ谷折りにすると、図４の下段の状態になる。
【００５２】
実施例１の封筒領域３Ａは、配布時の状態から折目１２３によって２つ折りにされた状態となる。このような状態で配布される場合であっても、再湿糊層３２は、２つ折りにされる一方の縁部に沿って平面視略コ字形に形成されているだけである。
【００５３】
このため、図４の下段の状態の封筒付きチラシ１Ａを受け取った利用者が封筒領域３Ａを捲ると、剥離糊部４３だけが剥がれて、封筒領域３Ａを損傷させることなく内面部３１を見開き状態にすることができる。
【００５４】
なお、他の構成及び作用効果については、前記実施の形態又は他の実施例と略同様であるので説明を省略する。
【実施例２】
【００５５】
以下、前記した実施の形態及び実施例１とは別の形態の実施例２について、図５，６を参照しながら説明する。なお、前記実施の形態又は他の実施例で説明した内容と同一乃至均等な部分の説明については、同一符号又は同一用語を使って説明する。
【００５６】
本実施例２で説明する封筒付き印刷物としての封筒付きチラシ１Ｂは、展開された紙本体２Ｂの形態や製作方法などが、前記実施の形態及び実施例１で説明した封筒付きチラシ１，１Ａとは異なっている。
【００５７】
帯状の実施例２の紙本体２Ｂには、図５に示すように複数の折目１３１，１３２，１３３が設けられる。そして紙本体２Ｂには、紙本体２Ｂの一つの隅角部に略長方形に形成された封筒領域３Ｂと、それ以外の残置領域２１Ｂと、残置領域２１Ｂと封筒領域３Ｂとの境界に設けられる切り離し部となる切取り線２２Ｂとが設けられる。
【００５８】
残置領域２１Ｂでは、折目１３３よりも右側の領域の上縁と下縁に沿って剥離糊部４４が形成される。この残置領域２１Ｂの右端を折目１３３で谷折りにすると、図６の上段に示した状態になる。
【００５９】
実施例２の封筒領域３Ｂは、このときから折目１３３によって２つ折りにされた状態となる。さらに、折目１３２より右側の領域の縁部に沿って剥離糊部４６が形成される。
【００６０】
一方、折目１３１より左側の領域の縁部に沿っても剥離糊部４５が形成される。そして、折目１３１，１３２でそれぞれ谷折りにすると、図６の下段の状態になる。
【００６１】
このように図６の下段の状態の封筒付きチラシ１Ｂを受け取った利用者は、封筒領域３Ｂが折り込まれた右側を捲り、さらに切取り線２２Ｂを切り取ることによって、封筒領域３Ｂを簡単に切り離すことができる。
【００６２】
実施例１，２の封筒付きチラシ１Ａ，１Ｂのように、大型の残置領域２１Ａ，２１Ｂにすることができれば、広告や必要情報を印刷する面積が増えて、封筒３０の返信率を高めることができる。
【００６３】
また、封筒領域３Ａ，３Ｂ自体も広がれば、利用者に記入させたりするための通信面のスペースを増やすことができ、多くの情報を利用者から得ることができる。
【００６４】
なお、他の構成及び作用効果については、前記実施の形態又は他の実施例と略同様であるので説明を省略する。
【実施例３】
【００６５】
以下、前記した実施の形態及び実施例１，２とは別の形態の実施例３について、図７，８を参照しながら説明する。なお、前記実施の形態又は他の実施例で説明した内容と同一乃至均等な部分の説明については、同一符号又は同一用語を使って説明する。
【００６６】
本実施例３で説明する封筒付き印刷物としての封筒付きチラシ１Ｃは、展開された紙本体２Ｃの形態や製作方法などが、前記実施の形態及び実施例１，２で説明した封筒付きチラシ１，１Ａ，１Ｂとは異なっている。
【００６７】
実施例３の紙本体２Ｃは、図７に示すように帯状の長方形に形成される。また、複数の折目１４１，１４２，１４３，１４４が設けられる。そして紙本体２Ｃには、紙本体２Ｃの一つの隅角部に略長方形に形成された封筒領域３Ｃと、それ以外の残置領域２１Ｃと、残置領域２１Ｃと封筒領域３Ｃとの境界に設けられる切り離し部となる切取り線２２Ｃとが設けられる。
【００６８】
封筒領域３Ｃは、紙本体２Ｃの左下の隅角部に設けられ、折目１４１で２つ折りにされる右側の縁部に沿って平面視略コ字形に再湿糊層３２が設けられる。紙本体２Ｃを折目１４１で谷折りにすると、図８の最上段に示した状態になる。
【００６９】
実施例３の封筒領域３Ｃは、このときから２つ折りにされた状態となる。そして、折目１４１に沿ってライン糊部５１が設けられる。ライン糊部５１は、剥離糊を線状に塗布することによって形成される。
【００７０】
この状態で残置領域２１Ｃを折目１４３で谷折りにすると、図８の中段に示した状態になる。さらに、折目１４３に沿ってライン糊部５２を設け、折目１４２で谷折りにすると、図８の最下段の状態になる。
【００７１】
この状態が、実施例３の封筒付きチラシ１Ｃの配布時の状態になる。この封筒付きチラシ１Ｃは、重ねられた右端がインデックス状に少しずつずれており、インデックスに従って開いていくことで、封筒領域３Ｃを露出させるという演出を施すことができる。
【００７２】
なお、他の構成及び作用効果については、前記実施の形態又は他の実施例と略同様であるので説明を省略する。
【実施例４】
【００７３】
以下、前記した実施の形態及び実施例１−３とは別の形態の実施例４について、図９，１０を参照しながら説明する。なお、前記実施の形態又は他の実施例で説明した内容と同一乃至均等な部分の説明については、同一符号又は同一用語を使って説明する。
【００７４】
本実施例４で説明する封筒付き印刷物としての封筒付きチラシ１Ｄは、展開された紙本体２Ｄの形態や配布状態にするための製作方法などが、前記実施の形態及び実施例１−３で説明した封筒付きチラシ１，１Ａ，１Ｂ，１Ｃとは異なっている。
【００７５】
帯状の実施例４の紙本体２Ｄには、図９に示すように複数の折目１５１，１５２，１５３，１５４，１５５が設けられる。そして紙本体２Ｄには、紙本体２Ｄの一つの隅角部に略長方形に形成された封筒領域３Ｄと、それ以外の残置領域２１Ｄと、残置領域２１Ｄと封筒領域３Ｄとの境界に設けられる切り離し部となる切取り線２２Ｄとが設けられる。
【００７６】
封筒領域３Ｄは、紙本体２Ｄの左下の隅角部に設けられ、折目１５１で２つ折りにすると、図１０の最上段に示した状態になる。実施例４の封筒領域３Ｄは、このときから２つ折りにされた状態となる。さらに折目１５３で残置領域２１Ｄを谷折りにすると、図１０の中段に示した状態になる。
【００７７】
続いて、折目１５５より右側の領域の側縁に沿ってライン糊部５３を設け、左端を折目１５２で谷折りにした後に右端を折目１５５で谷折りにすると、図１０の最下段の状態になる。
【００７８】
この状態が、実施例４の封筒付きチラシ１Ｄの配布時の状態になる。この封筒付きチラシ１Ｄは、表面右側がフラップ状になり、右、左と順に開いていくことで封筒領域３Ｄを露出させることができる。
【００７９】
以上に実施の形態や実施例で説明してきたように、様々な配布状態で封筒領域３，３Ａ−３Ｄを有する封筒付きチラシ１，１Ａ−１Ｄを配布することで、利用者の関心を引き続けることができる。
【００８０】
なお、他の構成及び作用効果については、前記実施の形態又は他の実施例と略同様であるので説明を省略する。
【００８１】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００８２】
例えば、前記実施の形態及び実施例では、新聞の折込み広告として封筒付きチラシ１，１Ａ−１Ｄを使用する場合について説明したが、これに限定されるものではない。例えば住戸の郵便受けに投函される広告、街頭や店頭で配布される広告、又は雑誌や本の綴込みなどに本発明の封筒付き印刷物を使用することができる。
【００８３】
また、前記実施の形態及び実施例では、個人情報等を内面部３１に記入させる場合について説明したが、これに限定されるものではなく、印字された部分を覆い隠すだけの封筒３０であってもよい。
【００８４】
さらに、前記実施の形態では、ミシン目や点状のアンカット部及びカット部によって形成される切取り線２２がある場合について説明したが、これに限定されるものではなく、切り離す箇所に破線などが印刷されただけの切り離し部であってもよい。
【符号の説明】
【００８５】
１，１Ａ−１Ｄ  封筒付きチラシ（封筒付き印刷物）
２１，２１Ａ−２１Ｄ  残置領域
２２，２２Ａ−２２Ｄ  切取り線（切り離し部）
３，３Ａ−３Ｄ  封筒領域
３０            封筒
３１１          折目
３２            再湿糊層
３３            ミシン目部
３５            縁部
【図１】
2017128029.tif 000003
【図２】
2017128029.tif 000004
【図３】
2017128029.tif 000005
【図４】
2017128029.tif 000006
【図５】
2017128029.tif 000007
【図６】
2017128029.tif 000008
【図７】
2017128029.tif 000009
【図８】
2017128029.tif 000010
【図９】
2017128029.tif 000011
【図１０】
2017128029.tif 000012